(57)【要約】【課題】  エレベータのかご内の戸開延長釦を押した場合、戸が閉まる前と戸閉動作時に警報を発して、かご内のエレベータ利用者に注意を喚起するエレベータの戸閉警報装置を得る。【解決手段】  エレベータかご１内に設けられたかご操作盤２に、行先階登録釦３および戸開延長釦４が設けられ、かごが乗場に到着し戸の全開状態で第１の所定時間が経過したら戸閉動作を開始するよにしたものにおいて、第１の所定時間経過前に戸開延長釦が押されたときは、第１の所定時間よりも長く設定された第２の所定時間の間、戸の全開状態を保持し、第２の所定時間が経過する前に、戸閉を予告する警報を発するとともに、第２の所定時間が経過したら戸閉動作と同時に戸閉中を知らせる警報を発する制御装置を備える。【選択図】    図４
2005200132.tif 000002
【特許請求の範囲】
【請求項１】
エレベータかご内に設けられたかご操作盤に、行先階登録釦および戸開延長釦が設けられ、かごが乗場に到着し戸の全開状態で第１の所定時間が経過したら戸閉動作を開始するよにしたエレベータの戸制御装置において、
前記第１の所定時間経過前に前記戸開延長釦が押されたときは、前記第１の所定時間よりも長く設定された第２の所定時間の間、戸の全開状態を保持し、前記第２の所定時間が経過する前に、戸閉を予告する警報を発する制御装置を備えたことを特徴とするエレベータの戸閉警報装置。
【請求項２】
エレベータかご内に設けられたかご操作盤に、行先階登録釦および戸開延長釦が設けられ、かごが乗場に到着し戸の全開状態で第１の所定時間が経過したら戸閉動作を開始するよにしたエレベータの戸制御装置において、
前記第１の所定時間経過前に前記戸開延長釦が押されたときは、前記第１の所定時間よりも長く設定された第２の所定時間の間、戸の全開状態を保持し、前記第２の所定時間が経過する前に、戸閉を予告する警報を発するとともに、前記第２の所定時間が経過したら戸閉動作と同時に戸閉中を知らせる警報を発する制御装置を備えたことを特徴とするエレベータの戸閉警報装置。
【請求項３】
制御装置は、ブザー、オートアナウンス、メッセージ表示機能の少なくとも一つによる警報を含むことを特徴とする請求項１又は請求項２記載のエレベータの戸閉警報装置。
【請求項４】
制御装置は、戸閉を予告する警報と、戸閉中を知らせる警報とを区別したことを特徴とする請求項２記載のエレベータの戸閉警報装置。
【請求項５】
家庭用ホームエレベータに用いたことを特徴とする請求項１〜請求項４のいずれかに記載のエレベータの戸閉警報装置。
【発明の詳細な説明】
【技術分野】
【０００１】
この発明は、エレベータのかご内の戸開延長釦を押した場合、戸が閉まる前と戸閉動作時に警報を発して、かご内のエレベータ利用者に注意を喚起するエレベータの戸閉警報装置に関するものである。
【背景技術】
【０００２】
一般住宅用に用いられるホームエレベータのかご内清掃作業は、家庭用電気掃除機を用いて行われることが多い。この場合、戸開延長釦を押し、戸を開けたままの状態で清掃作業を行う場合があり、清掃作業に気を取られて戸閉に気付かず、戸による挟まれ事故発生の一因となっていた。この戸閉を気付かせるため、従来技術では一定の戸開時間が経過し、戸が閉まる時に警報表示を点灯する技術が提案されており、例えば、戸閉開始前にドア閉じ表示装置が点灯し、戸閉開始動作時にドア閉じ表示装置が点滅して警報を発するものがある（例えば、特許文献１参照）。
【０００３】
【特許文献１】特開平５−１７０９０号公報
【発明の開示】
【発明が解決しようとする課題】
【０００４】
従来のエレベータの戸閉警報装置は、一般のエレベータ利用者がかご内へ乗り込む前の注意喚起のためのものであった。このため、例えば、図５に示すように、かご１１内の清掃作業等で作業者１２がかご１１内に乗り込んだ状態では、作業に夢中となりドア閉じ表示装置には目が届かないため、警報表示に気付かず、図６に示すように、家庭用電気掃除機１３などの機器の電源コード１４が戸１５に挟み込まれる事故が考えられている。また、エレベータ利用者自身が戸１５に当ったり、戸１５に挟まれること等も当然考えられている。更に、図６の状態から電気掃除機１３の電源コード１４を挟んだままエレベータが走行し、図７に示すような状態となり、電気掃除機１３の電源コード１４の断線事故に繋がる恐れがある。また、これと同様なことが家庭内で飼育されている犬猫等のペットの牽引ロープを挟み込んだままエレベータが走行する事故に繋がることも考えられている。更にまた、ホームエレベータの利用者にとっては、ドア閉じ表示装置の点滅だけではそれが何を意味しているのか分からない可能性があった。
【０００５】
この発明は、上述のような課題を解決するためになされたもので、その目的とするところは、エレベータのかご内の戸開延長釦を押した場合、戸が閉まる前と戸閉動作時に警報を発して、かご内のエレベータ利用者に注意を喚起するエレベータの戸閉警報装置を提供するものである。
【課題を解決するための手段】
【０００６】
この発明に係るエレベータの戸閉警報装置は、エレベータかご内に設けられたかご操作盤に、行先階登録釦および戸開延長釦が設けられ、かごが乗場に到着し戸の全開状態で第１の所定時間が経過したら戸閉動作を開始するよにしたエレベータの戸制御装置において、第１の所定時間経過前に戸開延長釦が押されたときは、第１の所定時間よりも長く設定された第２の所定時間の間、戸の全開状態を保持し、第２の所定時間が経過する前に、戸閉を予告する警報を発する制御装置を備えたものである。
【０００７】
また、第１の所定時間経過前に戸開延長釦が押されたときは、第１の所定時間よりも長く設定された第２の所定時間の間、戸の全開状態を保持し、第２の所定時間が経過する前に、戸閉を予告する警報を発するとともに、第２の所定時間が経過したら戸閉動作と同時に戸閉中を知らせる警報を発する制御装置を備えたものである。
【０００８】
また、制御装置は、ブザー、オートアナウンス、メッセージ表示機能の少なくとも一つによる警報を含むものである。
【０００９】
また、制御装置は、戸閉を予告する警報と、戸閉中を知らせる警報とを区別したものである。
【００１０】
また、特に、家庭用ホームエレベータに用いたものである。
【発明の効果】
【００１１】
この発明は、第１の所定時間経過前に戸開延長釦が押されたときは、第１の所定時間よりも長く設定された第２の所定時間の間、戸の全開状態を保持し、第２の所定時間が経過する前に、戸閉を予告する警報を発する制御装置を備えているので、例えば、ホームエレベータのかご内を清掃する場合、作業者が家庭用電気掃除機と共にかご内に乗り込み、予め戸開延長釦を押しておけば、自動的に第２の所定時間である３分間は全開状態を保持するので、その間安心して清掃作業を行うことができる。また、戸閉予告の警報を発することが可能となる。
【００１２】
また、第１の所定時間経過前に戸開延長釦が押されたときは、第１の所定時間よりも長く設定された第２の所定時間の間、戸の全開状態を保持し、第２の所定時間が経過する前に、戸閉を予告する警報を発するとともに、第２の所定時間が経過したら戸閉動作と同時に戸閉中を知らせる警報を発する制御装置を備えているので、戸閉中である旨の警報を発し、清掃作業者に対し再度戸開延長釦を押すためのチャンスと注意を喚起することができる。
【００１３】
また、制御装置は、戸閉を予告する警報と、戸閉中を知らせる警報とを区別したので、容易に識別することができる。
【００１４】
更にまた、特に、家庭用ホームエレベータに用いたので、犬猫等ペットの牽引ロープを挟み込んだままエレベータが走行する事故を防止することができる。
【発明を実施するための最良の形態】
【００１５】
実施の形態１．
図１はこの発明の実施の形態１におけるエレベータの戸閉警報装置の構成を示す乗場側から見た斜視図、図２はこの発明の実施の形態１におけるエレベータの戸閉警報装置のかご内操作盤を示す拡大正面図、図３はこの発明の実施の形態１におけるエレベータの戸閉警報装置の制御動作概要を説明するためのフローチャート、図４はこの発明の実施の形態１におけるエレベータの戸閉警報装置の戸開延長釦が押された後の詳細な制御動作を説明するためのフローチャートである。
【００１６】
図１、図２により、この発明の実施の形態１におけるエレベータの戸閉警報装置の構成について説明する。
一般住宅用に用いられるホームエレベータは、エレベータかご１内にかご操作盤２が設けられている。このかご操作盤２には行先階登録釦３および戸開延長釦４が設けられている。また、かご１内には、ブザー又はオートアナウンス用スピーカー５、メッセージ表示装置６等が設置されている。
エレベータの乗場に設けられた三方枠７には、乗場呼び押し釦８が設置されており、呼びの登録ができる。
【００１７】
次に、図３によりエレベータの戸閉警報装置の制御動作概要について説明する。
まず、ステップＳ１において、エレベータかご１が戸を開いて例えば１階に停止している状態から、ステップＳ２で、例えば２階の行先階登録釦３を押すと、ステップＳ３によりエレベータは走行し、ステップＳ４にて２階に停止後、ステップＳ５により戸開動作を行い、ステップＳ６にて全開状態となる。そして、ステップＳ７で、全開時に戸開延長釦４が押されたかどうかを判定する。この全開状態において、第１の所定時間、例えば１０秒以内に戸開延長釦４が押されなければ、ステップＳ８に進み、全開状態を１０秒間保持した後、ステップＳ９で、戸閉動作を行い、全閉する（ステップＳ１０）。
一方、ステップＳ７にて、全開状態を所定時間保持中に戸開延長釦４が押された場合は、ステップＳ１１に進み、全開状態を通常よりも相当長い第２の所定時間、例えば３分間保持するものである。これにより、例えば、ホームエレベータのかご１内を清掃する場合、作業者が家庭用電気掃除機と共にかご１内に乗り込み、予め戸開延長釦４を押しておけば、自動的に第２の所定時間である３分間は全開状態を保持するので、その間安心して清掃作業を行うことができる。
【００１８】
次に、図４によりエレベータの戸閉警報装置の戸開延長釦が押された後の詳細な制御動作を説明する。
ステップＳ１１において、全開状態を通常よりも相当長い第２の所定時間、例えば３分間保持する状態に入ると、ステップＳ１２で全開状態を継続して保持し、ステップＳ１３にて、例えば、第２の所定時間（３分間）の１０秒前になったかどうかを判定する。第２の所定時間の１０秒前を検出すると、ステップＳ１４に進み、かご１内のブザーを断続して鳴らし、又はオートアナウンス用スピーカー５等で戸閉を予告する旨の警報を発し、清掃作業者に注意を喚起する。更に、かご１内のメッセージ表示装置６に戸閉を予告する警報を予め表示することで、視覚的にも聴覚的にもかご１内で清掃作業をしている人に対し、具体的な戸閉予告の警報を発することが可能となる。そして、ステップＳ１５にて、全開状態が第２の所定時間（３分間）を経過したかどうか判定し、経過していれば、ステップＳ１６で戸閉動作を開始すると同時に、ステップＳ１７にて、ステップＳ１４における戸閉予告とは区別ができ異なる表現の警報で、かご１内のブザーを連続して鳴らし、又はオートアナウンス用スピーカー５等で戸閉中である旨の警報を発し、清掃作業者に対し再度戸開延長釦４を押すためのチャンスと注意を喚起することができる。
上記のように、聴覚、視覚によりかご１内で清掃作業をしている人に対し、具体的な戸閉予告の警報や戸閉中であることの警報を発することにより、戸への挟まりなどの事故を未然に防ぐことが可能となる。
【図面の簡単な説明】
【００１９】
【図１】この発明の実施の形態１におけるエレベータの戸閉警報装置の構成を示す乗場側から見た斜視図である。
【図２】この発明の実施の形態１におけるエレベータの戸閉警報装置のかご内操作盤を示す拡大正面図である。
【図３】この発明の実施の形態１におけるエレベータの戸閉警報装置の制御動作概要を説明するためのフローチャートフローチャートである。
【図４】この発明の実施の形態１におけるエレベータの戸閉警報装置の戸開延長釦が押された後の詳細な制御動作を説明するためのフローチャートである。
【図５】従来のエレベータの戸閉警報装置における戸開時の様子を示す平面断面図である。
【図６】従来のエレベータの戸閉警報装置における戸閉時の様子を示す平面断面図である。
【図７】従来のエレベータの戸閉警報装置における運転時の様子を示す側面断面図である。
【符号の説明】
【００２０】
１  ホームエレベータのかご
２  かご操作盤
３  行先階登録釦
４  戸開延長釦
５  ブザー又はオートアナウンス用スピーカー
６  メッセージ表示装置
７  乗場三方枠  
８  乗場呼び押し釦  
【図１】
2005200132.tif 000003
【図２】
2005200132.tif 000004
【図３】
2005200132.tif 000005
【図４】
2005200132.tif 000006
【図５】
2005200132.tif 000007
【図６】
2005200132.tif 000008
【図７】
2005200132.tif 000009